(57)【要約】【課題】駆動モータを小型化したり、高価な材料を使用したりすることなく、高さの低い自動原稿搬送装置３付き原稿読取装置２を提供する。【解決手段】原稿を搬送する自動原稿搬送装置３と、搬送される原稿の画像を読み取る搬送読取部と、上カバー体１０により固定される原稿の画像を読み取る固定読取部とを備え、固定読取部における第１透過部材６の下面に沿って走査し、且つ搬送読取部の下方に停止する原稿読取センサ８と、この原稿読取センサ８往復動させるＦＢモータ３０とは、本体ケース２ａに備えられ、ＦＢモータ３０は、その上端部側が自動原稿搬送装置３のうち搬送される原稿の反転搬送路体２０の外側と上カバー体１０の側縁との間の隙間空間４０内に突出するように配置されている。【選択図】図２
2010239188.tif 000002
【特許請求の範囲】
【請求項１】
読み取る原稿を所定の搬送方向に自動的に搬送する自動原稿搬送装置と、前記搬送される原稿の画像を読み取る搬送読取部と、原稿押えカバー体により固定される原稿の画像を読み取る固定読取部と、を備えた画像読取装置であって、
前記固定読取部における第１透過部材の下面に沿って走査し、且つ前記搬送読取部の下方に停止する原稿読取手段と、この原稿読取手段を前記走査方向に往復動させる第１の駆動源とは、前記固定読取部の本体ケースに備えられ、
前記第１の駆動源は、その上端部側が前記自動原稿搬送装置のうち搬送される原稿の反転搬送路体の外側と前記原稿押えカバー体の側縁との隙間に位置するように配置されていることを特徴とする画像読取装置。
【請求項２】
読み取る原稿を所定の搬送方向に自動的に搬送する自動原稿搬送装置と、前記搬送される原稿の画像を読み取る搬送読取部と、原稿押えカバー体により固定される原稿の画像を読み取る固定読取部と、を備えた画像読取装置であって、
前記自動原稿搬送装置と、その自動原稿搬送装置を駆動させる第２の駆動源とが、前記原稿押えカバー体に配置され、
前記第２の駆動源は、その下端部側が前記本体ケースの上面よりも下方に入り込むように配置されていることを特徴とする画像読取装置。
【請求項３】
読み取る原稿を所定の搬送方向に自動的に搬送する自動原稿搬送装置と、前記搬送される原稿の画像を読み取る搬送読取部と、原稿押えカバー体により固定される原稿の画像を読み取る固定読取部と、を備えた画像読取装置であって、
前記固定読取部における第１透過部材の下面に沿って走査し、且つ前記搬送読取部の下方に停止する原稿読取手段と、この原稿読取手段を前記走査方向に往復動させる第１の駆動手段とは、前記固定読取部の本体ケースに備えられ、
前記自動原稿搬送装置とその第２の駆動手段とが前記原稿押えカバー体に配置され、
前記本体ケースの一側部と前記原稿押えカバー体の一側部とがヒンジ手段を介して連結されて、前記原稿押えカバー体が前記本体ケースに対して開閉可能となるように構成され、
前記自動原稿搬送装置における搬送される原稿の反転搬送路体が、前記ヒンジ手段が配置される一側部と交叉する他側部の近傍に配置され、
前記第２の駆動手段は、その下端部側が前記本体ケースにおける前記ヒンジ手段が配置される一側部の上面よりも下方に入り込むように配置され、
前記第１の駆動手段は、その上端部側が前記他側部にて前記反転搬送路体の外側と前記原稿押えカバー体の前記他側縁との隙間に位置するように配置されていることを特徴とする画像読取装置。
【請求項４】
前記第１の駆動手段は、その駆動軸が前記第１透過部材の下面と平行に延びるように配置されていることを特徴とする請求項１または３に記載の画像読取装置。
【請求項５】
前記第２の駆動手段は、その駆動軸が前記第１透過部材の上面と平行に延びるように配置されていることを特徴とする請求項２または３に記載の画像読取装置。
【発明の詳細な説明】
【技術分野】
【０００１】
本発明は、搬送される原稿の画像を読取位置で読取可能で、且つ固定された原稿の画像を読み取ることができる読取手段を有する画像読取装置の構成に関するものである。
【背景技術】
【０００２】
静止原稿のみならず、搬送される移動原稿の画像記録面を読み取ることのできる画像読取装置が一般に知られている。このような画像読取装置では、静止原稿の画像記録面を読み取る場合には、いわゆるフラットベッド(ＦＢ：Flat Bed)スキャナを用い、移動原稿の画像記録面を読み取る場合には、いわゆる自動原稿搬送装置（ＡＤＦ：Auto Document Feeder）を用いるのである。ＦＢスキャナは、装置本体に対して開閉可能な原稿押えカバー体と、面積の大きい透明ガラス板（固定読取部）とを備えている。そして、透明ガラス板の下面に沿ってＣＩＳ（Contact Image Sensor）等のイメージスキャナ（画像読取手段）が移動しながら透明ガラス板上に載置されている静止原稿の画像記録面を読み取るのである。他方、ＡＤＦは、原稿押えカバー体の上面一側部位に備えられており、給紙トレイ上に堆積された複数枚の原稿を１枚ずつ分離しながら搬送する。そして、静止原稿用の透明ガラス板の一端部に隣接した搬送原稿用の透明ガラス板（搬送読取部）上に搬送された原稿は、この透明ガラス板の下方にて静止している画像読取手段により画像記録面を読み取られた後、排紙トレイ部に排出される（特許文献１、２及び３参照）。
【０００３】
その場合、特許文献２に示すように、原稿押えカバー体の一側部に配置された原稿の給紙部から上記搬送読取部の原稿読取位置を経て排紙部に至る略Ｕターン形状の原稿搬送路を有するＡＤＦには、給紙部、原稿搬送路及び排紙部に設けられたピックアップローラ、分離ローラ、搬送ローラを駆動するためのＡＤＦモータが配置されている。
【０００４】
他方、特許文献１、３及び４に示すように、ＣＩＳ等のイメージスキャナを透明ガラス板の下面に沿って移動させるために、イメージスキャナに連結されてプーリに巻掛けされているベルトを回転させるＦＢモータが透明ガラス板を支持するケース内で透明ガラス板より下方に配置されている。
【先行技術文献】
【特許文献】
【０００５】
【特許文献１】特開２００４−１３３１５１号公報（図１、図５参照）
【特許文献２】特開２００８−１８４３３２号公報（図１〜図１２参照）
【特許文献３】特開２００８−１８７４７３号公報（図１〜図３参照）
【特許文献４】特開昭６０−３０２５９号公報（図２、第１０図参照）
【発明の概要】
【発明が解決しようとする課題】
【０００６】
特許文献２の構成によれば、ＡＤＦモータは原稿押えカバー体内の一側部にて、駆動軸が水平となるように配置されている。他方、ＦＢモータは、特許文献１、３の構成によれば、駆動軸が垂直となるように配置され、特許文献４の構成によれば、駆動軸が水平となるように配置されている。
【０００７】
そして、透明ガラス板を支持するケース内に駆動軸が水平となるようにＦＢモータが配置されている場合、ＦＢモータ自体の厚さに比例して、ケースの内部空間の高さも大きくしなければならない。同様に、駆動軸が垂直となるようにＦＢモータが配置されている場合には、ＦＢモータ自体の直径に比例して、ケースの内部空間の高さも大きくしなければならない。駆動モータを小型化するには、特殊なマグネット材料を使用しなければならず、高価になり、発熱や騒音の問題があるため、技術的に困難である。特に、ステッピングモータを使用する場合には、問題点が多い。
【０００８】
本発明は、このような課題を解消し、駆動モータを小型化したり、高価な材料を使用したりすることなく、高さの低い自動原稿搬送装置付き原稿読取装置を提供することを目的とするものである。
【課題を解決するための手段】
【０００９】
上記目的を達成するために、請求項１に記載の発明の原稿読取装置は、読み取る原稿を所定の搬送方向に自動的に搬送する自動原稿搬送装置と、前記搬送される原稿の画像を読み取る搬送読取部と、原稿押えカバー体により固定される原稿の画像を読み取る固定読取部とを備えた画像読取装置であって、前記固定読取部における第１透過部材の下面に沿って走査し、且つ前記搬送読取部の下方に停止する原稿読取手段と、この原稿読取手段を前記走査方向に往復動させる第１の駆動手段とは、前記固定読取部の本体ケースに備えられ、前記第１の駆動手段は、その上端部側が前記自動原稿搬送装置のうち搬送される原稿の反転搬送路体の外側と前記原稿押えカバー体の側縁との隙間に位置するように配置されているものである。
【００１０】
請求項２に記載の発明の原稿読取装置は、読み取る原稿を所定の搬送方向に自動的に搬送する自動原稿搬送装置と、前記搬送される原稿の画像を読み取る搬送読取部と、原稿押えカバー体により固定される原稿の画像を読み取る固定読取部とを備えた画像読取装置であって、前記自動原稿搬送装置とその第２の駆動手段とが前記原稿押えカバー体に配置され、前記第２の駆動手段は、その下端部側が前記本体ケースの上面よりも下方に入り込むように配置されているものである。
【００１１】
請求項３に記載の発明の原稿読取装置は、読み取る原稿を所定の搬送方向に自動的に搬送する自動原稿搬送装置と、前記搬送される原稿の画像を読み取る搬送読取部と、原稿押えカバー体により固定される原稿の画像を読み取る固定読取部とを備えた画像読取装置であって、前記固定読取部における第１透過部材の下面に沿って走査し、且つ前記搬送読取部の下方に停止する原稿読取手段と、この原稿読取手段を前記走査方向に往復動させる第１の駆動手段とは、前記固定読取部の本体ケースに備えられ、前記自動原稿搬送装置とその第２の駆動手段とが前記原稿押えカバー体に配置され、前記本体ケースの一側部と前記原稿押えカバー体の一側部とがヒンジ手段を介して連結されて、前記原稿押えカバー体が前記本体ケースに対して開閉可能となるように構成され、前記自動原稿搬送装置における搬送される原稿の反転搬送路体が、前記ヒンジ手段が配置される一側部と交叉する他側部の近傍に配置され、前記第２の駆動手段は、その下端部側が前記本体ケースにおける前記ヒンジ手段が配置される一側部の上面よりも下方に入り込むように配置され、前記第１の駆動手段は、その上端部側が前記他側部にて前記反転搬送路体の外側と前記原稿押えカバー体の前記他側縁との隙間に位置するように配置されているものである。
【００１２】
請求項４に記載の発明は、請求項１または３に記載の原稿読取装置において、前記第１の駆動手段は、その駆動軸が前記第１透過部材の下面と平行に延びるように配置されているものである。
【００１３】
請求項５に記載の発明は、請求項２または３に記載の原稿読取装置において、前記第２の駆動手段は、その駆動軸が前記第１透過部材の上面と平行に延びるように配置されているものである。
【発明の効果】
【００１４】
請求項１に記載の発明によれば、第１の駆動手段の上端部が原稿読取装置における本体ケースの一端部の上方に位置する、自動原稿搬送装置における反転搬送路体と原稿押えカバー体（蓋カバー体を含む）の一端縁との隙間空間に向かって上向き突出させると、その上向き突出高さ分だけ、第１の駆動手段の下端が上昇した位置となるから、本体ケースの必要高さを低くすることができる。その結果、自動原稿搬送装置付の画像読取装置を低くしてコンパクトに形成できる。特に、第１の駆動手段としてステッピングモータを採用した場合、特殊なマグネット材料を使用せず、汎用のステッピングモータを採用することで、通常の直径のモータを採用しても、画像読取装置をコンパクトに形成できるという効果を奏する。
【００１５】
請求項２に記載の発明によれば、読み取る原稿を所定の搬送方向に自動的に搬送する自動原稿搬送装置と、前記搬送される原稿の画像を読み取る搬送読取部と、原稿押えカバー体により固定される原稿の画像を読み取る固定読取部とを備えた画像読取装置であって、前記自動原稿搬送装置とその第２の駆動手段とが前記原稿押えカバー体に配置され、前記第２の駆動手段は、その下端部側が前記本体ケースの上面よりも下方に入り込むように配置されているものである。
【００１６】
従って、第２の駆動手段は、その下端部側が本体ケースの上面を含む平面よりも下方に入り込むように配置されることで、本体ケースの下面から自動原稿搬送装置の上端までの高さ寸法を短くできて、自動原稿搬送装置付の画像読取装置の全体の高さをコンパクトに形成できるという効果を奏することができる。
【００１７】
請求項３に記載の発明によれば、読み取る原稿を所定の搬送方向に自動的に搬送する自動原稿搬送装置と、前記搬送される原稿の画像を読み取る搬送読取部と、原稿押えカバー体により固定される原稿の画像を読み取る固定読取部とを備えた画像読取装置であって、前記固定読取部における第１透過部材の下面に沿って走査し、且つ前記搬送読取部の下方に停止する原稿読取手段と、この原稿読取手段を前記走査方向に往復動させる第１の駆動手段とは、前記固定読取部の本体ケースに備えられ、前記自動原稿搬送装置とその第２の駆動手段とが前記原稿押えカバー体に配置され、前記本体ケースの一側部と前記原稿押えカバー体の一側部とがヒンジ手段を介して連結されて、前記原稿押えカバー体が前記本体ケースに対して開閉可能となるように構成され、前記自動原稿搬送装置における搬送される原稿の反転搬送路体が、前記ヒンジ手段が配置される一側部と交叉する他側部の近傍に配置され、前記第２の駆動手段は、その下端部側が前記本体ケースにおける前記ヒンジ手段が配置される一側部の上面よりも下方に入り込むように配置され、前記第１の駆動手段は、その上端部側が前記他側部にて前記反転搬送路体の外側と前記原稿押えカバー体の前記他側縁との隙間に位置するように配置されているものである。
【００１８】
従って、第１の駆動手段の上端部が本体ケースの一端部の上方に位置する反転搬送路体と前記原稿押えカバー体の他側縁との間の隙間空間に向かって上向き突出させると、その上向き突出高さ分だけ、第１の駆動手段の下端が上昇した位置となるから、本体ケースの必要高さを低くすることができる。その結果、自動原稿搬送装置付きの画像読取装置を低くしてコンパクトに形成できる。しかも、ヒンジ手段を有する一側部に重量の大きい第２の駆動手段を配置することにより、本体ケースに対して自動原稿搬送装置を開き回動したときにも、第２の駆動手段による回転モーメントの影響力を少なくできて、不用意に閉じる方向に自動原稿搬送装置が回動しないという効果を奏する。
【００１９】
請求項４及び５に記載の発明によれば、第１の駆動手段は、その駆動軸が前記第１透過部材の下面と平行に延びるように配置され、第２の駆動手段は、その駆動軸が前記第１透過部材の上面と平行に延びるように配置されているものであるから、各モータの駆動軸を中心とする直径の寸法が大きい場合にも、上記自動原稿搬送装置付きの画像読取装置を低くしてコンパクトに形成できるという効果を奏するものである。
【図面の簡単な説明】
【００２０】
【図１】本発明の自動原稿搬送装置及び画像読取装置を備えた多機能装置の斜視図である。
【図２】図１のII−II線矢視断面図である。
【図３】（Ａ）は自動原稿搬送装置及び画像読取装置の平面図、（Ｂ）は自動原稿搬送装置を省略して示す画像読取装置の本体ケース部分を示す平面図である。
【図４】図３（Ａ）のIV−IV線矢視断面図である。
【図５】自動原稿搬送装置と画像読取装置とを分離した状態を示し、（Ａ）は自動原稿搬送装置のみの断面図、（Ｂ）は画像読取装置の本体ケース部分のみの断面図である。
【発明を実施するための形態】
【００２１】
以下、本発明を実施するための形態について図面に基づいて説明する。
【００２２】
本発明の実施形態は、ファクシミリ機能、スキャナ機能、複写機能及びプリンタ機能を備えた多機能装置１における画像読取装置２に適用したものである。
【００２３】
［多機能装置１の基本構造］
図１及び図２に示すように、多機能装置１のハウジング４の上面には、その前寄り部位に、ファクシミリ機能、スキャナ機能、複写機能を実行するためのテンキーや各種作業を指令するためのボタンキー、指令内容表示やエラー表示等を行う液晶パネルなどを備えた操作パネル部を覆うパネルカバー５が配置されている。
【００２４】
図１に示すように、多機能装置１におけるハウジング４の前側（図１において手前側）には開口部４ａが開口されており、その開口部４ａにはシートとしての用紙（以下、用紙という）を堆積状態で収容する上面開放状の給紙カセット７がＸ軸線方向に沿って挿抜可能に装着されている。その給紙カセット７の上面に排紙トレイ７ａが装着されている。そして、給紙カセット７から給送された用紙は、ハウジング４内に設けられたインクジェット式などの画像記録部に送られて画像記録した後、その用紙が排紙トレイ７ａに排出される。
【００２５】
パネルカバー５の後方には、スキャナ機能を実行するための画像読取装置２とそれに搭載される自動原稿搬送装置３とが配置されている。図２、図３（Ａ）及び図３（Ｂ）に示すように、画像読取装置２における本体ケース２ａ上には静止原稿載置用及び搬送原稿用の透明板部材として兼用される第１透過部材６が配置されている。第１透過部材６の下方には、原稿の画像記録面を読み取るためのライン型の読取手段８（例えば、密着形イメージセンサ：ＣＩＳ（Contact Image Sensor）等）を備えている。図１及び図３（Ｂ）のＹ軸方向に沿って延びる直線状のガイド部材（図不示）に載置されて往復移動可能なライン形の読取手段８は図１のＸ軸方向に直線的に長く形成されている。
【００２６】
画像読取装置２における本体ケース２ａはその一側端部（実施形態では、パネルカバー５から離間された後方の一側）でハウジング４に水平に設けられた枢軸（図不示）を中心に上下回動可能に装着されている。
【００２７】
画像読取装置２に対して原稿を搬送する自動原稿搬送装置３（ＡＤＦ(Auto Document Feeder)）は、本体ケース２ａの上方の略全体を覆う上カバー体１０と、上カバー体１０の上面に形成される給紙トレイ部１３と、この給紙トレイ部１３より上側に配置され、且つ給紙トレイ部１３よりもＹ軸方向の長さの短い排紙トレイ部１４とを備えている。上カバー体１０の下面には、不図示の押圧板が取付けられており、この押圧板にて第１透過部材６上に画像記録面を当接させて載置する静止原稿を押圧するものである。
【００２８】
合成樹脂製の上カバー体１０（請求項にいう原稿押えカバー体）はその後端（パネルカバー５と反対側）の一対のヒンジ手段１１ａ、１１ｂ（図３（Ａ）及び図３（Ｂ）参照）を介して本体ケース２ａに対して上下方向に移動可能且つ開閉回動回動可能に装着されている。一対のヒンジ手段１１ａ、１１ｂが上下方向に移動可能に構成されている理由は、第１透過部材６に載置する原稿が書籍等の分厚い原稿を上カバー体１０にて第１透過部材６の表面に対して実質的に平行状態で押えることができるようにするためである。
【００２９】
図２、図３（Ａ）及び図３（Ｂ）に示すように、第１透過部材６の左端部には、第１透過部材６の上面に接着された掬い上げ案内体１２を挟んで左側の領域が搬送原稿読取部としての第２透過部材６ａとなるように形成されている。即ち、実施例では、第１透過部材６と第２透過部材６ａとが一体的に形成されているが、掬い上げ案内体１２を挟んで別体に構成しても良い。また、掬い上げ案内体１２は、Ｘ軸方向に長い長方形状であり、第１透過部材６の短手方向の長さとほぼ同一である。
【００３０】
後述するように第１の搬送方向（矢印Ａ方向）に搬送される原稿の画像記録面を下向きにして第２透過部材６ａの上面に原稿が摺接し、第２透過部材６ａの下面に静止させた読取手段８で原稿の画像を読み取る。読取手段８の検出位置の上方が搬送原稿の読取位置Ｒｅとなる（図２参照）。
【００３１】
第１透過部材６の上面に接着された上記案内体１２を挟んで右側の領域が静止原稿の読取領域となる。読取手段８は固定読取部（静止原稿の読取領域）に対する第１読取手段及び搬送読取部に対する第２読取手段を兼用するものである。後述するように、読取手段８を第１透過部材６の下面に沿って移動させるためのＦＢモータ３０と、自動原稿搬送装置３における駆動部に動力を供給するＡＤＦモータ３１とが備えられている。
【００３２】
自動原稿搬送装置３は、給紙トレイ部１３の一側部（Ｙ方向の一端部）に位置する読取位置Ｒｅまで原稿を搬送する第１の搬送方向（矢印Ａ方向）と、読取位置Ｒｅから排紙トレイ部１４まで原稿を搬送する第２の搬送方向（矢印Ｂ方向）とからなる略Ｕターン形状の反転搬送路体２０が備えられている（図２参照）。
【００３３】
上カバー体１０の上面側である給紙トレイ部１３には、一対の原稿ガイド１３ａが設けられている。そして、周知の連動機構により、一方の原稿ガイド１３ａを手で動かすと、他方の原稿ガイド１３ａが同時にＸ方向に移動して原稿のＸ方向の幅寸法に応じて広狭調節可能となるように構成されている。一対の原稿ガイド１３ａの上面に排紙トレイ部１４が一体的に設けられている。
【００３４】
自動原稿搬送装置３は、給紙トレイ部１３に堆積状態にて載置された複数枚の原稿を吸い込む吸込み部と吸込み部から１枚の原稿を分離して第１の搬送方向（読取位置Ｒｅに近づく方向）に搬送するための分離部と、搬送されてきた原稿を読取位置Ｒｅから第２の搬送方向に反転して排紙トレイ部１４に搬送するための反転搬送路体２０とを備えている。これらの部品は、図２に示すように、自動原稿搬送装置３の左端部の上側を覆う蓋カバー体１９の下方に配置されている。
【００３５】
吸込み部は吸入ローラ１５と吸入ニップ片１７とが備えられ、その搬送下流側に、分離部としての分離ローラ１６と分離パッド１８とが配置されている。分離部の下流側であって読取位置Ｒｅ（案内体１２）より上流側に、第１駆動ローラ２１と第１ピンチローラ２２からなる送り込みローラ部が配置されている。読取位置Ｒｅより下流側で反転搬送路体２０の下端部には、第２駆動ローラ２３と第２ピンチローラ２４との対が配置されている。さらに、反転搬送路体２０の上側終端より下流側には、上記第１駆動ローラ２１と第３ピンチローラ２５よりなる排出ローラ部が配置されている。１つのＡＤＦモータ３１からの回転駆動力は、上記吸入ローラ１５、分離ローラ１６、第１駆動ローラ２１及び第２駆動ローラ２３に、不図示のギヤ機構を介して伝達される。
【００３６】
ＡＤＦモータ３１は、自動原稿搬送装置３における上カバー体１０と蓋カバー体１９にて囲まれた一側部位１０ａに配置されている（図１、図３（Ａ）、図３（Ｂ）及び図４参照）。その場合、ヒンジ手段１１ａ、１１ｂを有する側に重量の大きいＡＤＦモータ３１を配置することにより、本体ケース２ａに対して自動原稿搬送装置３を開き回動したときにも、ＡＤＦモータ３１による回転モーメントの影響力を少なくできて、不用意に閉じる方向に自動原稿搬送装置３が回動しない。また、上カバー体１０が第１透過部材６と平行となるように自動原稿搬送装置３を閉じた状態において、ＡＤＦモータ３１は、その駆動軸３１ａが第１透過部材６の上面と平行となるように配置されている（図４参照）。そして、ＡＤＦモータ３１は、その下端部側が本体ケース２ａの上面を含む平面よりも下方に入り込むように配置されることで、本体ケース２ａの下面から自動原稿搬送装置３の蓋カバー体１９までの高さ寸法を短くできて、自動原稿搬送装置３付の画像読取装置２の全体の高さをコンパクトに形成できる。さらに、この場合、図４に示すように、ＡＤＦモータ３１の下端部側が上カバー体１０の底板にて囲まれるようにすると共に、その下向き突出部１０ａが自動原稿搬送装置３を本体ケース２ａ上に載置するように閉じたとき、本体ケース２ａの上面に凹み形成されている凹所３２に嵌まり込むように構成すれば、上カバー体１０を本体ケース２ａ上に開いた時、ＡＤＦモータ３１の下端部側が露出しない。
【００３７】
吸入ローラ１５に対して吸入ニップ片１７が、分離ローラ１６に対して分離パッド１８がそれぞれ弾力的に当接可能に構成されている。吸入ニップ片１７は分離パッド１８との上方を覆い、第１駆動ローラ２１の上下中途部を通過して、読取位置Ｒｅの上側の原稿押え２７の上流側に接近するように延びるガイド板２８は、その下面側が給送路の一部となり、上面側が排出路の一部となる。
【００３８】
次に、反転搬送路体２０の上側にて、第２搬送方向、つまり読取後の原稿がＵターンされて排出シュート部としてのガイド板２８ひいては排紙トレイ部１４に排出されるとき、各原稿の画像記録面が上向きであり、且つ先行して排出された原稿の下方に次の原稿が確実に排出されるようにする（排出された原稿の堆積順序を正順にする）ための構成について説明する。
【００３９】
その１実施例は、反転搬送路体２０の下流端からでた原稿が第１駆動ローラ２１の上端と第３ピンチローラ２５とによるニップされて排出する部位の高さ位置が、ガイド板２８の搬送下流端部よりも低い位置にあるように設定されている（図２参照）。
【００４０】
このように構成すれば、給紙トレイ部１３で堆積され、且つ画像記録面が下向きの原稿はその最下層の第１枚目から順に分離ローラ１６と分離パッド１８との間で分離搬送される。第１駆動ローラ２１と第１ピンチローラ２２とのニップ部を経て第２透過部材６ａで、原稿押え２７にて第２透過部材６ａの表面に画像記録面が摺接されながら搬送される。第２透過部材６ａの読取位置Ｒｅの下方位置で静止させた読取手段８にて原稿の画像が読み取られた後、原稿は第２駆動ローラ２３と第２ピンチローラ２４及び反転搬送路体２０を経て、第１駆動ローラ２１の上端と第３ピンチローラ２５とによるニップ部からガイド板２８に向かって排出される。その場合、第１駆動ローラ２１の上端と第３ピンチローラ２５とにニップされて排出する部位の高さ位置よりも、ガイド板２８の搬送下流端部の高さ位置が高いので、先行して排出されてガイド板２８上に堆積されている原稿の下面側に後続する原稿の先端が近づいてガイド板２８上に誘い込まれるので、それに続く排紙トレイ部１４に排出された原稿の堆積順序は給紙トレイ部１３に載置した状態と同じになり、後で作業者が原稿の堆積順序を変更する必要がなくなる。
【００４１】
［静止画像読取部の構成］
第１透過部材６の下面に沿ってＹ軸方向に往復移動する読取手段８は、Ｘ軸方向に延びるキャリッジ３３に固定されている（図２及び図３（Ｂ）参照）。そして、キャリッジ３３の両端部は本体ケース２ａにおける第１透過部材６及び第２透過部材６ａの側端部を支持する部位の下面にてＹ軸方向に延びるガイド部材（不図示）に摺動可能に支持されている。キャリッジ３３に連結されたタイミングベルトなどのベルト３４は、本体ケース２ａ内のうちＹ軸方向の両端部に配置された駆動プーリ３５と従動プーリ３６とに巻掛けされている（図２及び図３（Ｂ）参照）。
【００４２】
駆動プーリ３５に動力伝達するＦＢモータ３０は、本体ケース２ａにおけるヒンジ手段１１ａ、１１ｂを有する一側部と交叉する他側部側に配置されている。また、ＦＢモータ３０は、その上端部側が上記他側部にて反転搬送路体２０の外径側より外側であって、且つ下端側と蓋カバー体１９（原稿押えカバー体１０の一部でもある）の他側縁１９ａとの間の隙間空間４０に位置するように配置されている（図２、図３（Ａ）、図３（Ｂ）及び図４参照）。その場合、ＦＢモータ３０の駆動軸３０ａは、第１透過部材６の下面にてそれと平行に延びている。また、ＦＢモータ３０の駆動軸３０ａと駆動プーリ３５との間にはウオーム歯車などからなる歯車伝達機構３７が配置される。なお、本体ケース２ａのＹ軸方向の一端部の上方に位置する上記反転搬送路体２０と蓋カバー体１９の一端縁１９ａとの間の隙間空間４０は、元々デッドスペースである。この隙間空間４０を有効利用するために、ＦＢモータ３０の上端部を隙間空間４０に向かって上向きに突出させている。なお、その上向き突出部位を覆うように、本体ケース２ａの上面にカバー部４１が膨出形成されているので（図２参照）、原稿押えカバー体１０を上に開いた状態でも、ＦＢモータ３０が露出しない。
【００４３】
ＦＢモータ３０の上端部が本体ケース２ａの一端部の上方に位置する上記反転搬送路体２０と蓋カバー体１９の一端縁１９ａとの間の隙間空間４０に向かって上向き突出させると、その上向き突出高さ分だけ、ＦＢモータ３０の下端が上昇した位置となるから、本体ケース２ａの必要高さを低くすることができる。その結果、自動原稿搬送装置３付の画像読取装置２の高さを低くしてコンパクトに形成できる。特に、ＦＢモータ３０としてステッピングモータを採用した場合、特殊なマグネット材料を使用せず、汎用のステッピングモータを採用することで、通常の直径のモータを採用しても、自動原稿搬送装置３付の画像読取装置２をコンパクトに形成できるという効果を奏するものである。
【００４４】
ＦＢモータ３０の駆動軸３０ａを第１透過部材６の下面と平行状、また、ＡＤＦモータ３０の駆動軸３１ａを第１透過部材６の上面と平行状となるように、それぞれのモータ３０、３１を縦置きする、換言すると、モータの直径方向が上下になるように配置することで、モータの軸方向の寸法より直径方向の寸法が大きいモータを使用したときにも、自動原稿搬送装置３及び画像読取装置２の高さ寸法をコンパクトに形成できるという効果を奏するものである。
【００４５】
以上に説明した、原稿読取センサ８は請求項にいう原稿読取手段の一例に相当し、上カバー体１０は請求項にいう原稿押えカバー体の一例に相当し、ＦＢモータ３０は同じく第１の駆動手段に相当し、ＡＤＦモータ３１は第２の駆動手段に相当するものである。
【符号の説明】
【００４６】
１      多機能装置
２      画像読取装置
２ａ    本体ケース
３      自動原稿搬送装置
４      ハウジング
６      第１透過部材
６ａ    第２透過部材
８      原稿読取手段としての原稿読取センサ
１０    原稿押えカバー体としての上カバー体
１９    蓋カバー体
２０    反転搬送路体
３０    第１の駆動手段としてのＦＢモータ
３０ａ    駆動軸
３１    第２の駆動手段としてのＡＤＦモータ
３１ａ    駆動軸
３２    凹所
３３    キャリッジ
４０    隙間空間
４１    カバー部
【図１】
2010239188.tif 000003
【図２】
2010239188.tif 000004
【図３】
2010239188.tif 000005
【図４】
2010239188.tif 000006
【図５】
2010239188.tif 000007